(57)【要約】【課題】作業者が行う作業をより確実に監視することができる携帯端末装置を得る。【解決手段】作業者により所持される携帯電話１であって、加速度センサ１１と、作業時間帯を示す情報および作業時間帯に対応する作業項目を示す情報を含む作業情報が入力され、加速度センサ１１が検出する加速度の変化の情報と作業情報とに基づいて、作業時間帯において作業時間帯に対応する作業項目が実施されたか否かを判定する実施判定装置１３と、加速度センサ１１が検出する加速度の値と予め設定された異常基準値とを比較して、作業者の異常を検出する異常検出装置１４と、実施判定装置１３の判定結果を作業管理装置２に送信し、さらに、異常検出装置１４が作業者の異常を検出した場合にその旨を作業管理装置２に通報する通信装置１２とを備えている。【選択図】図１
2013171383.tif 000002
【特許請求の範囲】
【請求項１】
作業者により所持される携帯端末装置であって、
加速度センサと、
作業時間帯を示す情報および前記作業時間帯に対応する作業項目についての情報を含む作業情報が入力され、前記加速度センサが検出する加速度の変化の情報と前記作業情報とに基づいて、前記作業時間帯において前記作業時間帯に対応する前記作業項目が実施されたか否かを判定する実施判定装置と
を備えたことを特徴とする携帯端末装置。
【請求項２】
前記加速度センサが検出する加速度の値と予め設定された異常基準値とを比較して、前記作業者の異常を検出する異常検出装置と、
前記異常検出装置が前記作業者の異常を検出した場合にその旨を外部に通報する通報装置と
をさらに備えたことを特徴とする請求項１に記載の携帯端末装置。
【請求項３】
外部との間で通信を行う通信装置をさらに備え、
前記実施判定装置は、前記通信装置を経由して、前記外部から前記作業情報が入力されることを特徴とする請求項１または請求項２に記載の携帯端末装置。
【請求項４】
加速度センサを有し、作業者により所持される携帯端末装置と、
前記加速度センサが検出する加速度の変化の情報と、作業時間帯を示す情報および前記作業時間帯に対応する作業項目についての情報を含む作業情報とが入力され、前記加速度の変化の情報と前記作業情報とに基づいて、前記作業時間帯において前記作業時間帯に対応する前記作業項目が実施されたか否かを判定する実施判定装置と
を備えたことを特徴とする作業管理システム。
【請求項５】
前記加速度センサが検出する加速度の値と予め設定された異常基準値とを比較して、前記作業者の異常を検出する異常検出装置をさらに備えたことを特徴とする請求項４に記載の作業管理システム。
【請求項６】
加速度センサを有し作業者により所持される携帯端末装置の前記加速度センサにより検出された加速度の変化の情報と、作業時間帯を示す情報および前記作業時間帯に対応する作業項目についての情報を含む作業情報とに基づいて、前記作業時間帯において前記作業時間帯に対応する前記作業項目が実施されたか否かを判定する実施判定工程を備えたことを特徴とする作業管理方法。
【発明の詳細な説明】
【技術分野】
【０００１】
この発明は、作業者が行う作業を監視する携帯端末装置、作業管理システムおよび作業管理方法に関する。
【背景技術】
【０００２】
従来、作業者により所持される携帯端末装置と、携帯端末装置の位置情報を取得する位置情報取得装置と、作業時間帯の情報と作業時間帯に対応する作業場所の情報とを含む作業情報が入力され、作業時間帯においてその作業時間帯に対応する作業場所と携帯端末装置の位置情報とを比較して、作業者が作業時間帯においてその作業時間帯に対応する作業場所にいるか否かを判定する作業管理装置とを備え作業管理システムが知られている（例えば、特許文献１参照）。
【先行技術文献】
【特許文献】
【０００３】
【特許文献１】特開２００３−６７８７７号公報
【発明の概要】
【発明が解決しようとする課題】
【０００４】
しかしながら、従来の作業管理システムは、作業者が作業時間帯においてその作業時間帯に対応する作業場所にいるか否かを判定しているので、作業者が作業時間帯においてその作業時間帯に対応する作業場所にいる場合であって、作業者が他の作業を行っている場合には、作業管理装置は、作業が実施されたと判定する。その結果、作業者が行う作業の監視に誤りが発生してしまうという問題点があった。
【０００５】
この発明は、作業者が行う作業をより確実に監視することができる携帯端末装置、作業管理システムおよび作業管理方法を提供するものである。
【課題を解決するための手段】
【０００６】
この発明に係る携帯端末装置は、作業者により所持される携帯端末装置であって、加速度センサと、作業時間帯を示す情報および前記作業時間帯に対応する作業項目についての情報を含む作業情報が入力され、前記加速度センサが検出する加速度の変化の情報と前記作業情報とに基づいて、前記作業時間帯において前記作業時間帯に対応する前記作業項目が実施されたか否かを判定する実施判定装置とを備えている。
【０００７】
この発明に係る作業管理システムは、加速度センサを有し、作業者により所持される携帯端末装置と、前記加速度センサが検出する加速度の変化の情報と、作業時間帯を示す情報および前記作業時間帯に対応する作業項目についての情報を含む作業情報とが入力され、前記加速度の変化の情報と前記作業情報とに基づいて、前記作業時間帯において前記作業時間帯に対応する前記作業項目が実施されたか否かを判定する実施判定装置とを備えている。
【０００８】
この発明に係る作業管理方法は、加速度センサを有し作業者により所持される携帯端末装置の前記加速度センサにより検出された加速度の変化の情報と、作業時間帯を示す情報および前記作業時間帯に対応する作業項目についての情報を含む作業情報とに基づいて、前記作業時間帯において前記作業時間帯に対応する前記作業項目が実施されたか否かを判定する実施判定工程を備えている。
【発明の効果】
【０００９】
この発明に係る携帯端末装置によれば、加速度センサと、作業時間帯を示す情報および作業時間帯に対応する作業項目についての情報を含む作業情報が入力され、加速度センサが検出する加速度の変化の情報と作業情報とに基づいて、作業時間帯において作業時間帯に対応する作業項目が実施されたか否かを判定する実施判定装置とを備えているので、作業者が作業時間帯においてその作業時間帯に対応する作業場所にいる場合であっても、作業者が他の作業を行っている場合には、実施判定装置は、作業項目が実施されていないと判定する。その結果、作業者が行う作業をより確実に監視することができる。
【００１０】
この発明に係る作業管理システムによれば、加速度センサを有し、作業者により所持される携帯端末装置と、加速度センサが検出する加速度の変化の情報と、作業時間帯を示す情報および作業時間帯に対応する作業項目についての情報を含む作業情報とが入力され、加速度の変化の情報と作業情報とに基づいて、作業時間帯において作業時間帯に対応する作業項目が実施されたか否かを判定する実施判定装置とを備えているので、作業者が作業時間帯においてその作業時間帯に対応する作業場所にいる場合であっても、作業者が他の作業を行っている場合には、実施判定装置は、作業項目が実施されていないと判定する。その結果、作業者が行う作業をより確実に監視することができる。
【００１１】
この発明に係る作業管理方法によれば、加速度センサを有し作業者により所持される携帯端末装置の加速度センサにより検出された加速度の変化の情報と、作業時間帯を示す情報および作業時間帯に対応する作業項目についての情報を含む作業情報とに基づいて、作業時間帯において作業時間帯に対応する作業項目が実施されたか否かを判定する実施判定工程を備えているので、作業者が作業時間帯においてその作業時間帯に対応する作業場所にいる場合であっても、作業者が他の作業を行っている場合には、作業項目が実施されていないと判定される。その結果、作業者が行う作業をより確実に監視することができる。
【図面の簡単な説明】
【００１２】
【図１】この発明の実施の形態１に係る作業管理システムを示すブロック図である。
【図２】図１の判定装置本体により実施が判定される作業項目とこの作業項目に対応する判定基準情報との関係を示す表である。
【図３】図１の作業管理システムが作業項目の実施の有無を判定する場合の動作を示すフローチャートである。
【図４】図１の作業管理システムが作業者の異常を検出する場合の動作を示すフローチャートである。
【発明を実施するための形態】
【００１３】
実施の形態１．
図１はこの発明の実施の形態１に係る作業管理システムを示すブロック図である。図において、作業管理システムは、作業者に所持される携帯電話（携帯端末装置）１と、携帯電話１との間で無線通信を行う作業管理装置（外部）２とを備えている。作業管理装置２は、例えば、情報センタに配置される。図１では、１台の携帯電話１を示しているが、複数の携帯電話１が作業管理システムに含まれている。
【００１４】
携帯電話１は、加速度センサ１１と、作業管理装置２との間で通信を行う通信装置（通報装置）１２と、作業時間帯においてその作業時間帯に対応する作業項目が実施されたか否かを判定する実施判定装置１３と、作業者の異常を検出する異常検出装置１４とを有している。携帯電話１は、作業管理装置２から計測開始指令を受けることにより、通常モードから計測モードに切り換わる。ここで、計測モードとは、実施判定装置１３および異常検出装置１４が動作するモードである。通常モードとは、実施判定装置１３および異常検出装置１４が停止するモードである。
【００１５】
通信装置１２には、作業管理装置２からのアクセスを許可するアプリケーションソフトウエアが予めインストールされている。
【００１６】
加速度センサ１１は、センサ本体１１１と、センサ本体１１１の出力信号が入力される解析装置１１２とを有している。センサ本体１１１は、それぞれが互いに異なる方向である３軸方向（Ｘ方向、Ｙ方向、Ｚ方向）についての加速度を検出する加速度センサ部と、鉛直線に対する傾きを検出するジャイロセンサ部とを含んでいる。解析装置１１２には、加速度センサ部の出力信号およびジャイロセンサ部の出力信号が入力される。
【００１７】
解析装置１１２は、加速度センサ部の出力信号から加速度を算出するとともに、ジャイロセンサ部の出力信号から鉛直線に対する傾きを算出するためのアプリケーションソフトウエアが予めインストールされている。また、解析装置１１２は、ジャイロセンサ部の出力信号を用いて加速度センサ部の出力信号を補正し、補正した値から加速度を算出する。つまり、加速度センサ１１は、加速度センサ１１に発生する水平方向および鉛直方向についての加速度を検出する。これにより、例えば、携帯電話１が作業者のズボンのポケットに鉛直線に対して傾斜して入れられた場合であっても、加速度センサ１１は、水平方向および鉛直方向の加速度を検出することができる。
【００１８】
実施判定装置１３は、判定装置本体１３１と、作業項目に対応する判定基準情報を記憶する記憶装置１３２とを有している。判定装置本体１３１には、作業管理装置２から通信装置１２を経由して、作業時間帯を示す情報、その作業時間帯に対応する作業項目を示す情報（作業項目についての情報）およびその作業項目が実施される昇降機仕様を示す情報を含んだ作業情報が入力される。
【００１９】
記憶装置１３２には、作業項目毎、昇降機仕様毎に、判定基準情報が記憶されている。判定装置本体１３１は、判定装置本体１３１に作業情報が入力されると、作業項目および昇降路仕様に対応する判定基準情報を記憶装置１３２から取得する。また、判定装置本体１３１は、加速度センサ１１が検出する加速度の変化の情報と、記憶装置１３２から取得した判定基準情報とを比較して、作業時間帯において、作業時間帯に対応する作業項目が実施されたか否かを判定する。判定装置本体１３１は、通信装置１２を経由して、作業時間帯に対応する作業項目が実施されたか否かについての判定結果を作業管理装置２に送信する。
【００２０】
また、記憶装置１３２には、作業者が動作しているか否かを判定する際に用いられる判定基準値を記憶している。判定装置本体１３１は、作業時間帯の作業開始時刻から所定時間が経過する間、加速度センサ１１が検出する加速度の値が記憶装置１３２に記憶されている判定基準値を超えなかった場合には、作業者が動作していないと判定する。判定装置本体１３１は、作業者が動作していないと判定した場合に、通信装置１２を経由して、その旨を作業管理装置２に通報する。
【００２１】
異常検出装置１４は、検出装置本体１４１と、作業者の異常を検出する際に用いられる異常基準値を記憶する記憶装置１４２とを有している。検出装置本体１４１は、加速度センサ１１が検出する加速度の値と、記憶装置１４２に記憶されている異常基準値とを比較する。また、異常検出装置１４は、加速度センサ１１が検出する加速度の値が記憶装置１４２に記憶されている異常基準値を超えた場合には、その後の加速度センサ１１の出力信号を一定時間だけマスクし、さらに、その一定時間内に携帯電話１の操作がされたか否かを判定する。異常検出装置１４は、その一定時間内に携帯電話１の操作がされなかったと判定する場合に、作業者に異常が発生したと判定する。異常検出装置１４は、作業者の異常を検出した場合に、通信装置１２を経由して、その旨を作業管理装置２に通報する。
【００２２】
作業管理装置２は、制御装置２１と、携帯電話１との間で通信を行う通信装置２２と、制御装置２１により制御される警報装置２３とを有している。
【００２３】
制御装置２１は、制御装置本体２１１と、各作業者の作業を管理する作業管理ＤＢ（ＤＡＴＡ  ＢＡＳＥ）２１２と、各作業者が所持する携帯電話１の番号を記憶する携帯電話番号管理ＤＢ２１３と、各昇降機の仕様を記憶する昇降機仕様管理ＤＢ２１４とを含んでいる。作業管理ＤＢ２１２では、作業時間帯を示す情報および作業時間帯に対応する作業項目を示す情報が管理されている。制御装置本体２１１は、現在時刻が作業時間帯となったときに、通信装置２２を経由して、計測開始指令および作業情報を携帯電話１に送信する。昇降機仕様を示す情報には、昇降機の機種、定格速度、加速度、階床数、階床別の高さ等の情報が含まれている。
【００２４】
警報装置２３は、作業時間帯に対応する作業項目が実施されていないことを示す判定装置本体１３１の判定結果を制御装置２１が取得した場合に、制御装置２１の制御により、作動する。これにより、情報センタにいる作業監視者等が作業者の携帯電話１に電話を掛けることによって、作業者に注意喚起を促すことができる。また、警報装置２３は、作業者の異常を検出したことを示す異常検出装置１４の検出結果を制御装置２１が取得した場合に、制御装置２１の制御により、作動する。これにより、情報センタにいる作業監視者は、作業者の安否確認を作業場所の近くにいる他の作業者に行わせることができる。
【００２５】
図２は図１の判定装置本体１３１により実施が判定される作業項目とこの作業項目に対応する判定基準情報との関係を示す表である。
【００２６】
作業項目がエレベータ試乗点検である場合には、判定基準情報として、定格速度で運転するエレベータに作業者が乗車する場合の加速度の変化の情報が設定される。エレベータの定格速度は、仕様毎に異なる値が設定される（例えば、６０ｍ／ｍｉｎ、９０ｍ／ｍｉｎ、１０５ｍ／ｍｉｎ）。
【００２７】
作業項目がかご上作業、つまり、乗場ドア点検、ロープ点検、レール点検等である場合には、判定基準情報として、定格速度で運転するエレベータに作業者が乗車する場合の加速度の変化の情報と、手動速度（例えば、１５ｍ／ｍｉｎ、２０ｍ／ｍｉｎ）で運転するエレベータに作業者が乗車する場合の加速度の変化の情報とが設定される。
【００２８】
作業項目がピット内作業、つまり、終点スイッチ点検、巻上機点検等である場合には、判定基準情報として、定格速度で運転するエレベータに作業者が乗車する場合の加速度の変化の情報と、作業者が梯子や脚立等を用いてピットに出入りする場合の加速度の変化の情報とが設定される。
【００２９】
作業項目がエスカレータ試乗点検である場合には、判定基準情報として、運転するエスカレータに作業者が乗車する場合の加速度の変化の情報が設定される。エスカレータの傾斜角度および運転速度は、仕様毎に異なる値が設定される（例えば、３０度、３５度、１５ｍ／ｍｉｎ、２０ｍ／ｍｉｎ、３０ｍ／ｍｉｎ）。
【００３０】
作業項目がエスカレータを停止させた状態での作業、つまり、チェーンテンション調整、駆動ローラ点検である場合には、判定基準情報として、運転するエスカレータに作業者が乗車する場合の加速度の変化の情報と、停止するエスカレータの踏段を作業者が上り下りする場合の加速度の変化の情報が設定される。
【００３１】
次に、作業項目が実施されたか否かを判定する場合の作業管理システムの動作について説明する。図３は図１の作業管理システムが作業項目の実施の有無を判定する場合の動作を示すフローチャートである。まず、作業管理装置２は、現在時刻が作業時間帯の作業開始時刻であるか否かを判定する（ステップＳ１０１）。ステップＳ１０１で、現在時刻が作業開始時刻ではないと作業管理装置２が判定すると、ステップＳ１０１が繰り返される。
【００３２】
一方、ステップＳ１０１で、現在時刻が作業開始時刻であると作業管理装置２が判定すると、計測開始指令および作業情報を作業管理装置２が携帯電話１に送信する（ステップＳ１０２）。
【００３３】
その後、携帯電話１は通常モードから計測モードに切り換わる（ステップＳ１０３）。
【００３４】
その後、携帯電話１は、作業時間帯において全ての作業項目が実施されたか否かを判定する（実施判定工程）（ステップＳ１０４）。ステップＳ１０４で、作業時間帯において全ての作業項目が実施されたと携帯電話１が判定する場合には、携帯電話１は、全ての作業項目が終了した旨を作業管理装置２に送信する（ステップＳ１０５）。一方、ステップＳ１０４で、作業時間帯において未だ全ての作業項目が実施されてはいないと携帯電話１が判定する場合には、携帯電話１は、終了していない作業項目を作業管理装置２に送信する（ステップＳ１０６）。その後、作業管理システムの動作が終了する。
【００３５】
次に、作業者の異常を検出する場合の作業管理システムの動作について説明する。図４は図１の作業管理システムが作業者の異常を検出する場合の動作を示すフローチャートである。まず、異常検出装置１４は、異常基準値を超える加速度を加速度センサ１１が検出したか否かを判定する（ステップＳ２０１）。ステップＳ２０１で、異常基準値を超える加速度を加速度センサ１１が検出していないと異常検出装置１４が判定する場合には、ステップＳ２０１を繰り返す。
【００３６】
一方、ステップＳ２０１で、異常基準値を超える加速度を加速度センサ１１が検出したと異常検出装置１４が判定する場合には、異常検出装置１４は、加速度センサ１１が検出する加速度が異常基準値を下回ったか否かを判定する（ステップＳ２０２）。ステップＳ２０２で、加速度センサ１１が検出する加速度が異常基準値を下回っていないと異常検出装置１４が判定する場合には、ステップＳ２０２が繰り返される。
【００３７】
一方、ステップＳ２０２で、加速度センサ１１が検出する加速度が異常基準値を下回ったと異常検出装置１４が判定すると、異常検出装置１４は、一定時間だけ、例えば、１分だけ待機する（ステップＳ２０３）。
【００３８】
その後、異常検出装置１４は、待機中に作業者により携帯電話１の操作が行われたか否かを判定する（ステップＳ２０４）。ステップＳ２０４で、待機中に作業者により携帯電話１の操作が行われたと判定する場合には、異常基準値を超える加速度が携帯電話１を操作するためのものであるので、検出した加速度の記録を破棄する（ステップＳ２０５）。一方、ステップＳ２０４で、待機中に作業者により携帯電話１の操作が行われなかったと判定する場合には、携帯電話１は、作業者の異常が発生したと判定し、作業者の異常を検出した旨を作業管理装置２に通報する（ステップＳ２０６）。その後、作業管理システムの動作が終了する。
【００３９】
以上説明したように、この発明の実施の形態１に係る携帯電話１によれば、加速度センサ１１と、作業時間帯を示す情報および作業時間帯に対応する作業項目についての情報を含む作業情報が入力され、加速度センサ１１が検出する加速度の変化の情報と作業情報とに基づいて、作業時間帯において作業時間帯に対応する作業項目が実施されたか否かを判定する実施判定装置１３を備えているので、作業者が作業時間帯においてその作業時間帯に対応する作業場所にいる場合であっても、作業者が他の作業を行っている場合には、実施判定装置１３は、作業項目が実施されていないと判定する。その結果、作業者が行う作業をより確実に監視することができる。
【００４０】
また、この携帯電話１によれば、加速度センサ１１が検出する加速度の値と予め設定された異常基準値とを比較して、作業者の異常を検出する異常検出装置１４と、異常検出装置１４が作業者の異常を検出した場合にその旨を作業管理装置２に通報する通信装置１２とを備えているので、作業管理装置２を操作する作業監視者に対して、作業者に異常が発生したことを報知することができる。その結果、作業監視者は、作業者の異常を知ることができ、作業者の安否確認を他の作業者に行わせることができる。
【００４１】
また、この携帯電話１によれば、作業管理装置２との間で通信を行う通信装置１２を備え、実施判定装置１３は、通信装置１２を経由して、作業管理装置２から作業情報が入力されるので、作業者が携帯電話１を操作することなく、作業者の作業の監視を行うことができる。
【００４２】
また、この発明の実施の形態１に係る作業管理方法によれば、加速度センサ１１を有し作業者により所持される携帯電話１の加速度センサ１１により検出された加速度の変化の情報と、作業時間帯を示す情報および作業時間帯に対応する作業項目についての情報を含む作業情報とに基づいて、作業時間帯において作業時間帯に対応する作業項目が実施されたか否かを判定する実施判定工程を備えているので、作業者が作業時間帯においてその作業時間帯に対応する作業場所にいる場合であっても、作業者が他の作業を行っている場合には、作業項目が実施されていないと判定される。その結果、作業者が行う作業をより確実に監視することができる。
【００４３】
なお、上記実施の形態１では、実施判定装置１３および異常検出装置１４が携帯電話１に含まれる作業管理システムの構成について説明したが、これに限らず、実施判定装置１３および異常検出装置１４が、例えば、作業管理装置２に設けられる作業管理システムの構成であってもよい。この場合であっても、作業者が行う作業をより確実に監視することができ、また、作業監視者に対して作業者の異常を報知することができる。
【００４４】
また、上記実施の形態１では、作業管理装置２から判定装置本体１３１に入力される作業項目についての情報として、作業時間帯に対応する作業項目を示す情報を例に説明したが、これに限らず、作業項目に対応する判定基準情報であってもよい。この場合、記憶装置１３２には、判定基準情報を記憶する必要がなく、判定装置本体１３１は、作業管理装置２から入力された判定基準情報を用いて作業項目が実施されたか否かを判定する。
【００４５】
また、上記実施の形態１では、加速度センサ１１、通信装置１２、実施判定装置１３および異常検出装置１４を有した携帯電話１について説明したが、携帯電話１がさらにＧＰＳ（ＧＬＯＢＡＬ  ＰＯＳＩＴＩＯＮＩＮＧ  ＳＹＳＴＥＭ）装置を有し、実施判定装置１３が、ＧＰＳ装置が検出する位置情報を用いて作業者の位置を確認し、作業項目が実施されたか否かを判定する構成であってもよい。この場合、作業情報には作業が行われる位置情報が含まれる。また、携帯電話１が高度計を有し、実施判定装置１３が、高度計が検出する高度情報を用いて作業者がいる階を特定し、作業項目が実施されたか否かを判定する構成であってもよい。この場合、作業情報には、作業が行われる位置の高度情報や階を示す情報が含まれる。
【符号の説明】
【００４６】
１  携帯電話（携帯端末装置）、２  作業管理装置（外部）、１１  加速度センサ、１２  通信装置（通報装置）、１３  実施判定装置、１４  異常検出装置、２１  制御装置、２２  通信装置、２３  警報装置、１１１  センサ本体、１１２  解析装置、１３１  判定装置本体、１３２  記憶装置、１４１  検出装置本体、１４２  記憶装置、２１１  制御装置本体、２１２  作業管理ＤＢ、２１３  携帯電話番号管理ＤＢ、２１４  昇降機仕様管理ＤＢ。
【図１】
2013171383.tif 000003
【図２】
2013171383.tif 000004
【図３】
2013171383.tif 000005
【図４】
2013171383.tif 000006